(57)【要約】 【課題】場所に制限される場合、例えば、狭い場所においても大きな貨物の積み下ろしおよび梱包組立が容易になり、そして、段積みする場合にも上下段間でずれ止めできて船積輸送や鉄道輸送などに適し、また、場所に制約されずに梱包解きも容易になって輸送先から容易に回収運搬可能になり、そしてさらに、密閉構造にもすかし構造も容易に組み立て可能にする。 【解決手段】左右の側壁１２、１２が、それぞれ一対のサイド・ウォール・ブラケット２５、２５で床構造１１の左右のボトム・サイド・レール２０、２０上に独立に立ち上げられ、前後の端壁１３、１３が、その床構造１１の前後のボトム・エンド・レール２４、２４に前後の断面溝形ボトム・エンド・レール・メンバー４４、４４を上からはめ合わせてその床構造１１上に独立に立ち上げられ、およびその左右の側壁１２、１２および前後の端壁１３、１３が、コンテナー・コーナー・トップ１５、１５、１５、１５においてコーナー・ブラケットで一体的に結合される 【選択図】図５
2006069631.tif 000002
【特許請求の範囲】
【請求項１】
左右の側壁が、それぞれ一対のサイド・ウォール・ブラケットで床構造の左右のボトム・サイド・レール上に独立に立ち上げられ、前後の端壁が、その床構造の前後のボトム・エンド・レールに前後の断面溝形ボトム・エンド・レール・メンバーを上からはめ合わせてその床構造上に独立に立ち上げられ、およびその左右の側壁および前後の端壁が、コンテナー・コーナー・トップにおいてコーナー・ブラケットで一体的に結合されるところの輸送に用いるコンテナー。 
【請求項２】
その床構造が、所定の間隔を置いて互いに平行に配置される左右のボトム・サイド・レールと、その左右のボトム・サイド・レールの前後方向に適宜の間隔を置いてその左右のボトム・サイド・レール間に渡され、そして、両端でその左右のボトム・サイド・レール上に固定される複数の横はりと、その左右のボトム・サイド・レールの長さを有し、その複数の横はりの下でその左右のボトム・サイド・レール間に左右方向に適宜の間隔を置いてその複数の横はりに交差状態でそのその左右のボトム・サイド・レールに平行に伸長され、そして、その複数の横はりに固定される複数の縦はりと、その左右のボトム・サイド・レール、複数の横はり、および複数の縦はりの組立て上に固定的に配置される床板と、そのボトム・サイド・フレーム上にのせられるその側壁に対応してその左右のボトム・サイド・フレーム間に渡される長さを有し、そして、その横はり上でその左右のボトム・サイド・フレームの前後端間に渡されてその横はり上に固定される前後の断面長方形ボトム・エンド・レールと、その左右のボトム・サイド・レールのそれぞれの前後端寄りに位置され、そして、そのボトム・サイド・レール上に立ち上げ状態でその左右のボトム・サイド・レールのそれぞれの上に固定的に取り付けられる一対のサイド・ウォール・ブラケットとで組み立てられる請求項１に記載の輸送に用いるコンテナー。 
【請求項３】
その左右の側壁のそれぞれが、ルーフ・レール、ボトム・エンド・レール・メンバー、および前後のコーナー・ポストで枠組みされる側壁枠と、その床構造のその一対のサイド・ウォール・ブラケットに対応してそのボトム・エンド・レール・メンバーから上方に伸びてそのボトム・サイド・レール・メンバーに固定的に取り付けられる一対のボトム・サイド・ブラケットと、その前後のコーナー・ポストに対応的に寄せられ、そして、そのルーフ・レールから下方に伸びてそのルーフ・レールに固定的に取り付けられる一対のトップ・サイド・ブラケットとで組み立てられる請求項１に記載の輸送に用いるコンテナー。
【請求項４】
その一対のボトム・サイド・ブラケットおよび一対のトップ・サイド・ブラケットのそれぞれが、ボルト穴を明け、そして、そのボルト穴に穴合わせ状態で裏面にナットを溶接する請求項３に記載の輸送に用いるコンテナー。 
【請求項５】
その前後の端壁のそれぞれが、トップ・エンド・レール、その床構造のその断面長方形ボトム・エンド・レールに上からはめ合わせ可能にされる断面溝形ボトム・エンド・レール・メンバー、および左右のコーナー・ポスト・メンバーで枠組みされる端壁枠と、その側壁のそのトップ・サイド・ブラケットに対応してその左右のコーナー・ポスト・メンバーに寄せられ、そして、そのトップ・エンド・レールから下方に伸びてそのトップ・エンド・レールに固定的に取り付けられる一対のトップ・エンド・ブラケットとで組み立てられる請求項１に記載の輸送に用いるコンテナー。 
【請求項６】
その一対のトップ・エンド・ブラケットのそれぞれが、ボルト穴を明け、そして、そのボルト穴に穴合わせ状態で裏面にナットを溶接する請求項５に記載の輸送に用いるコンテナー。 
【請求項７】
そのコーナー・ブラケットが、その側壁のそのトップ・サイド・ブラケットおよびその端壁のそのトップ・エンド・ブラケット二対応して直角に曲げられ、そして、そのトップ・サイド・ブラケットおよびトップ・エンド・ブラケットのボルト穴に対応して両端のそれぞれにボルト穴を明ける請求項１に記載の輸送に用いるコンテナー。 
【請求項８】
そのコーナー・ブラケットが、高さ方向において下側にそのボルト穴を片寄らせて明け、そして、結合状態でその側壁および端壁上に上側を突き出し可能にする請求項７に記載の輸送に用いるコンテナー。 
【請求項９】
密閉構造に組み立てられる請求項１に記載の輸送に用いるコンテナー。 
【請求項１０】
すかし構造に組み立てられる請求項１に記載の輸送に用いるコンテナー。 
【発明の詳細な説明】
【技術分野】
【０００１】
この発明は、大きな貨物、例えば、大きな製品や部品の輸送に適するところの輸送に用いるコンテナーに関し、そして、狭い場所で行う梱包作業やその梱包を解く作業にも適するところの輸送に用いるコンテナーに関する。 
【背景技術】
【０００２】
この種のコンテナーは、船積輸送や鉄道輸送などに使用される際、予め床構造上に左右の側壁および前後の端壁の一方を固定させて立ち上げた状態でその床構造上に貨物をのせ、次に、その床構造上にその左右の側壁および前後の端壁の他方を固定させて立ち上げ、その一方にその他方を固定的に結合させ、そして、屋根を取り付けて梱包組み立てされるので、場所に制限される場合、例えば、狭い場所では、その貨物の積み下ろし方向が制限され、そして、その貨物の積み下ろし作業も梱包組立作業も非常に厄介であった。 
また、この種のコンテナーは、その船積輸送の場合、船倉に段積みされ、また、船積のために段積みされて屋外に置かれるので、その上段のコンテナーはその下段のコンテナーにずれ止めする必要がある。そのずれ止めは段積み後であるので、そのずれ止め作業は非常に厄介になった。 
【特許文献１】実開昭５８−１５９２９０号公報
【発明の開示】
【発明が解決しようとする課題】
【０００３】
この発明の課題は、場所に制限される場合、例えば、狭い場所においても大きな貨物の積み下ろしおよび梱包組立が容易になり、そして、段積みする場合にも上下段間でずれ止めできて船積輸送や鉄道輸送などに適し、また、場所に制約されずに梱包解きも容易になって輸送先から容易に回収運搬可能になり、そしてさらに、密閉構造にもすかし構造も容易に組み立て可能にするところの輸送に用いるコンテナーの提供にある。 
【課題を解決するための手段】
【０００４】
この発明は、左右の側壁が、それぞれ一対のサイド・ウォール・ブラケットで床構造の左右のボトム・サイド・レール上に独立に立ち上げられ、前後の端壁が、その床構造の前後のボトム・エンド・レールに前後の断面溝形ボトム・エンド・レール・メンバーを上からはめ合わせてその床構造上に独立に立ち上げられ、およびその左右の側壁および前後の端壁が、コンテナー・コーナー・トップにおいてコーナー・ブラケットで一体的に結合される。 
【発明の効果】
【０００５】
この発明では、組立て時、その左右の側壁および前後の端壁が順番を問わずにその床構造上に独立に固定されて立ち上げられて梱包組立てが可能になり、場所に制限される場合、例えば、狭い場所においても大きな貨物の積み下しおよび梱包組立てが容易になり、そして、段積する場合にも上段のコンテナーがそのコーナー・ブラケットで下段のコンテナーにずれ止めできて船積輸送や鉄道輸送などに適し、また、場所に制約されずに梱包解き、すなわち、分解も容易になって輸送先から容易に回収運搬可能になり、そしてさらに、密閉型にもすかし型にも容易に組み立て可能になる。 
【発明を実施するための最良の形態】
【０００６】
その床構造が、所定の間隔を置いて互いに平行に配置される左右のボトム・サイド・レールと、そのボトム・サイド・フレーム上にのせられるその側壁に対応してその左右のボトム・サイド・フレーム間に渡される長さを有し、そして、その横はり上でその左右のボトム・サイド・フレームの前後端間に渡されてその横はり上に固定される前後の断面方形ボトム・エンド・レールとで枠組みされ、そして、その左右のボトム・サイド・レールのそれぞれの前後端寄りでそのボトム・サイド・レール上に立ち上げ状態でその左右のボトム・サイド・レールのそれぞれの上に固定的に取り付けられる一対のサイド・ウォール・ブラケットを備える。 
【０００７】
その左右の側壁のそれぞれが、ルーフ・レール、ボトム・エンド・レール・メンバー、および前後のコーナー・ポストで枠組みされる側壁枠と、その床構造のその一対のサイド・ウォール・ブラケットに対応してそのボトム・エンド・レール・メンバーから上方に伸びてそのボトム・サイド・レール・メンバーに固定的に取り付けられる一対のボトム・サイド・ブラケットと、その前後のコーナー・ポストに対応的に寄せられ、そして、そのルーフ・レールから下方に伸びてそのルーフ・レールに固定的に取り付けられる一対のトップ・サイド・ブラケットとで組み立てられる。 
その一対のボトム・サイド・ブラケットおよび一対のトップ・サイド・ブラケットのそれぞれは、ボルト穴を明け、そして、そのボルト穴に穴合わせ状態で裏面にナットを溶接する構造を採る。 
【０００８】
その前後の端壁のそれぞれが、トップ・エンド・レール、その床構造のその断面長方形ボトム・エンド・レールに上からはめ合わせ可能にされる断面溝形ボトム・エンド・レール・メンバー、および左右のコーナー・ポスト・メンバーで枠組みされる端壁枠と、その側壁のそのトップ・サイド・ブラケットに対応してその左右のコーナー・ポスト・メンバーに寄せられ、そして、そのトップ・エンド・レールから下方に伸びてそのトップ・エンド・レールに固定的に取り付けられる一対のトップ・エンド・ブラケットとで組み立てられる。 
その一対のトップ・エンド・ブラケットのそれぞれは、ボルト穴を明け、そして、そのボルト穴に穴合わせ状態で裏面にナットを溶接する構造を採る。 
【０００９】
そのコーナー・ブラケットが、その側壁のそのトップ・サイド・ブラケットおよびその端壁のそのトップ・エンド・ブラケット二対応して直角に曲げられ、そして、そのトップ・サイド・ブラケットおよびトップ・エンド・ブラケットのボルト穴に対応して両端のそれぞれにボルト穴を明ける。そのボルト穴はそのコーナー・ブラケットの高さ方向において下側に片寄せられてそのコーナー・ブラケットのその両端に穴明けされ、そして、その側壁および端壁を互いに結合させた状態でその側壁および端壁上にそのコーナー・ブラケットの上側を突き出させて段積み時、ずれ止めにそのコーナー・ブラケットを活用可能にする。 
【実施例１】
【００１０】
以下、この発明の輸送に用いるコンテナーの特定された具体例について、図面を参照して説明する。図１ないし図６は、船積み輸送に活用されるところのこの発明の輸送に用いるコンテナーの具体例１０を示す。そのコンテナー１０は、床構造１１、左右の側壁１２、１２、前後の端壁１３、１３、および屋根１４を含む密閉構造で組立て時、その左右の側壁１２、１２および前後の端壁１３、１３が順番を問わずにその床構造上に独立に固定的に立ち上げられ、そして、その左右の側壁１２、１２および前後の端壁１３、１３がコンテナー・コーナー・トップにおいてコーナー・ブラケット１５、１５、１５、１５で段積み可能に一体的に結合されるところの梱包組立て構造を採る。 
【００１１】
その床構造１１は、所定の間隔を置いて互いに平行に配置される左右の断面長方形ボトム・サイド・レール２０、２０と、その左右のボトム・サイド・レール２０、２０の前後方向に適宜の間隔を置いてその左右のボトム・サイド・レール２０、２０間に渡され、そして、両端でその左右のボトム・サイド・レール２０、２０上に固定される多数の横はり２１、２１、２１、２１、２１と、その左右のボトム・サイド・レール２０、２０の長さを有し、その多数の横はり２１、２１、２１、２１、２１の下でその左右のボトム・サイド・レール２０、２０間に左右方向に適宜の間隔を置いてその多数の横はり２１、２１、２１、２１、２１に交差状態でそのその左右のボトム・サイド・レール２０、２０に平行に伸長され、そして、その多数の横はり２１、２１、２１、２１、２１に固定される多数の縦はり２２、２２、２２と、その左右のボトム・サイド・レール２０、２０、多数の横はり２１、２１、２１、２１、２１、および多数の縦はり２２、２２、２２の組立て上に固定的に配置される床板２３と、そのボトム・サイド・フレーム２０、２０上にのせられるその側壁１２、１２に対応してその左右のボトム・サイド・フレーム２０、２０間に渡される長さを有し、そして、その横はり２１、２１上でその左右のボトム・サイド・フレーム２０、２０の前後端間に渡されてその横はり２１、２１上に固定される前後の断面長方形ボトム・エンド・レール２４、２４と、その左右のボトム・サイド・レール２０、２０のそれぞれの前後端寄りに位置され、そして、そのボトム・サイド・レール２０、２０上に立ち上げ状態でその左右のボトム・サイド・レール２０、２０のそれぞれの上に固定的に取り付けられる一対のサイド・ウォール・ブラケット２５、２５とで組み立てられる。 
【００１２】
その左右の断面長方形ボトム・エンド・レール２０、２０は所定の長さの断面長方形軽量形鋼を用い、また、その前後の断面長方形ボトム・エンド・レール２４、２４はその断面長方形ボトム・サイド・フレーム２０、２０よりも細いところの所定の長さの断面長方形軽量形鋼を用いる。その前後の断面長方形ボトム・エンド・レール２４、２４はその左右の側壁１２、１２間でその左右の断面長方形ボトム・エンド・レール２０、２０間に渡されてその左右の断面長方形ボトム・エンド・レール２０、２０上に支持されるので、その前後の断面長方形ボトム・エンド・レール２４、２４の長さはその左右の側壁１２、１２の厚さで決まる。 
そのサイド・ウォール・ブラケット２５、２５および２５、２５はボルト穴２６が明けられ、そして、外側からその側壁１２、１２をボルト締め可能にしてその断面長方形ボトム・サイド・フレーム２０、２０上にその側壁１２、１２を独立に立ち上げる。 
【００１３】
その左右の側壁１２、１２のそれぞれが、ルーフ・レール２８、ボトム・サイド・フレーム・メンバー２９、および前後のコーナー・ポスト３０、３０で枠組みされる側壁枠２７と、その側壁枠２７の前後方向の中間でそのルーフ・レール２８およびボトム・サイド・レール・メンバー２９間に固定的に取り付けられるスタッド３１と、その側壁枠２７およびスタッド３１に張られて取り付けられる側板３２と、その床構造１１のその一対のサイド・ウォール・ブラケット２５、２５に対応してそのボトム・サイド・レール・メンバー２９から上方に伸びてそのボトム・サイド・レール・メンバー２９に固定的に取り付けられる一対のボトム・サイド・ブラケット３３、３３と、その前後のコーナー・ポスト３０、３０に対応的に寄せられ、そして、そのルーフ・レール２８から下方に伸びてそのルーフ・レール２８に固定的に取り付けられる一対のトップ・サイド・ブラケット３７、３７とで組み立てられる。 
【００１４】
そのルーフ・レール２８、２８は、所定の長さに切断された断面長方形軽量形鋼を用い、また、そのボトム・サイド・レール・メンバー２９、２９は、そのルーフ・レール２８、２８よりも細くて所定の長さに切断された断面角形軽量形鋼を用い、その前後のコーナー・ポスト３０、３０および３０、３０は、また、そのルーフ・レール２８、２８よりも太くて所定の長さに切断された断面長方形軽量形鋼を用いる。 
さらに、そのスタッド３１、３１は、その前後のコーナー・ポスト３０、３０および３０、３０よりも細くて所定の長さに切断された断面角形軽量形鋼を用いる。 
【００１５】
その一対のボトム・サイド・ブラケット３３、３３および一対のトップ・サイド・ブラケット３７、３７は、ボルト穴３５、３９を明け、そして、そのボルト穴３５、３９に穴合わせ状態で裏面３４、３８にナット３６、４０を溶接する構造を採り、そして、その一対のボトム・サイド・ブラケット３３、３３は、ボルト４１でその床構造１１のそのサイド・ウォール・ブラケット２５、２５に締め付けられ、そして一方、その一対のトップ・サイド・ブラケット３７、３７は、その側壁１２、１２および端壁１３、１３の結合に活用される。 
【００１６】
その前後の端壁１３、１３のそれぞれが、トップ・エンド・レール４３、４３、その床構造１１のその断面長方形ボトム・エンド・レール２４、２４に上からはめ合わせ可能にされる断面溝形ボトム・エンド・レール・メンバー４４、４４、および左右のコーナー・ポスト・メンバー４５、４５で枠組みされる端壁枠４２と、そのトップ・エンド・レール４３および断面溝形ボトム・エンド・レール・メンバー４４間に左右方向に適宜の間隔を置いて固定的に取り付けられる多数のスタッド４６、４６、４６と、その側壁枠４２およびスタッド４６、４６、４６に張られて固定的に取り付けられる端板４７と、その側壁１２、１２のそのトップ・サイド・ブラケット３７、３７および３７、３７に対応してその左右のコーナー・ポスト・メンバー４５、４５に寄せられ、そして、そのトップ・エンド・レール４３から下方に伸びてそのトップ・エンド・レール４３に固定的に取り付けられる一対のトップ・エンド・ブラケット４８、４８とで組み立てられる。 
【００１７】
そのトップ・エンド・レール４３、４３は、その左右の側壁１２、１２のルーフ・レール２８、２８に相当する太さで所定の長さに切断された断面長方形軽量形鋼を用い、また、そのボトム・エンド・レール・メンバー４４、４４は、その床構造１１のその断面長方形そのボトム・エンド・レール２４、２４に摺動的にはめ外し可能にされる大きさ、形状で所定の長さに切断された断面溝形軽量形鋼を用い、そのコーナー・ポスト・メンバー４５、４５は、また、その左右の側壁１２、１２のそのボトム・サイド・レール・メンバー２９、２９に相当する太さで所定の長さに切断された断面角形軽量形鋼を用いる。 
さらに、そのスタッド４６、４６、４６および４６、４６、４６は、その左右の側壁１２、１２のそのスタッド３１、３１相当する太さで所定の長さに切断された断面角形軽量形鋼を用いる。 
【００１８】
その一対のトップ・エンド・ブラケット４８、４８は、ボルト穴５０、５０を明け、そして、そのボルト穴５０、５０に穴合わせ状態で裏面４９、４９にナット５１、５１を溶接する構造を採り、そして、その側壁１２、１２および端壁１３、１３の結合に活用される。 
【００１９】
その屋根１４は、前後方向に適宜の間隔を置いてその左右の側壁１２、１２のそのルーフ・レール２８、２８間に渡されて支持される多数の屋根はり５２、５２、５２と、その屋根はり５２、５２、５２、その左右の側壁１２、１２のそのルーフ・レール２８、２８、およびその前後の端壁１３、１３のそのトップ・エンド・レール４３、４３上に張られて固定的に取り付けられる屋根板５４とで組み立てられる。 
その３本の屋根はり５２、５２、５２は、その側壁１２、１２のそのスタッド３１やその端壁１３、１３のそのスタッド４６、４６、４６に同様に細くて所定の長さに切断された断面角形軽量形鋼を用い、そして、両端に箱形フック５３、５３を溶接する。 
その屋根はり５２、５２、５２は、その両端のその箱形フック５３、５３でその側壁１２、１２のそのルーフ・レール２８、２８に引っ掛けられてそのルーフ・レール２８、２８間に渡され、そして、そのルーフ・レール２８、２８に支持される。勿論、その屋根はり５２、５２、５２は、予めその屋根板５４の裏面に位置決めされてスポット溶接されてもかまわない。その場合、その屋根１４は、互いに一体的に結合されたその側壁１２、１２および端壁１３、１３の上に簡単にのせられてその側壁１２、１２および端壁１３、１３に固定的に取り付けられる。 
【００２０】
そのコーナー・ブラケット１５、１５、１５、１５は、所定の厚さの鋼板から所定の形状、寸法の短冊片に切断され、その左右の側壁１２、１２のそのトップ・サイド・ブラケット３７、３７および３７、３７およびその前後の端壁１３、１３のそのトップ・エンド・ブラケット４８、４８および４８、４８に対応して長さ方向の中間でその短冊片を直角に曲げ、そして、そのトップ・サイド・ブラケット３７、３７および３７、３７およびトップ・エンド・ブラケット４８、４８のそのボルト穴３９、３９、３９、３９、５０、５０、５０、５０に対応して両端のそれぞれにボルト穴５５、５５、５５、５５、５５、５５、５５、５５を明けて作られる。 
特にそのコーナー・ブラケット１５、１５、１５、１５では、そのボルト穴５５、５５、５５、５５、５５、５５、５５、５５は、そのコーナー・ブラケット１５、１５、１５、１５の高さ方向において下側に片寄せられてそのコーナー・ブラケット１５、１５、１５，１５のその両端に穴明けされ、そして、そのコーナー・ブラケット１５、１５、１５、１５がその左右の側壁１２、１２のそのトップ・サイド・ブラケット３７、３７および３７、３７およびその前後のその端壁１３、１３のそのトップ・エンド・ブラケット４８、４８および４８、４８にボルト締めされてその左右の側壁１２、１２および前後の端壁１３、１３が互いに結合された状態でその左右の側壁１２、１２および前後の端壁１３、１３上にそのコーナー・ブラケット１５、１５、１５、１５の上側を突き出させてそのコンテナー１０の段積み時、下段のコンテナー１０に上段のコンテナー１０をずれ止めするところのストッパーにそのコーナー・ブラケット１５、１５、１５、１５を活用可能にする。 
【００２１】
次に、そのコンテナー１０を用いて船積み輸送される大きな製品、部品の梱包について述べる。先ず、その床構造１１がその大きな製品、部品の近くに置かれる。そして、その大きな製品、部品が、その床構造１１上にのせられてその床構造１１に固定される。次いで、その左右の側壁１２、１２が、その床構造１１のその左右の断面長方形形ボトム・サイド・レール２０、２０上にのせられて立ち上げられ、そして、ボルト４１、４１および４１、４１でその床構造１１のその左右の断面長方形形ボトム・サイド・レール２０、２０のサイド・ウォール・ブラケット２５、２５および２５、２５にそのボトム・サイド・ブラケット３３、３３を締め付けてその床構造１１の両側に固定的に立ち上げられる。次に、その前後の端壁１３、１３が、その床構造１１のその前後の断面長方形形ボトム・エンド・レール２４、２４にその断面溝形ボトム・エンド・レール・メンバー４４、４４を上からはめ合わせて被せ、そして、その床構造１１のその前後の断面長方形ボトム・エンド・レール２４、２４上に立ち上げられる。 
【００２２】
そのように、その左右の側壁１２、１２および前後の端壁１３、１３がその床構造１１上に立ち上げられると、その４個のコーナー・ブラケット１５、１５、１５、１５が、図２、３、および５に示されるようにそのボルト４１、４１、４１、４１、４１、４１、４１、４１でその隣り合う側壁１２、１２および端壁１３、１３のそのトップ・サイド・ブラケット３７、３７および３７、３７、およびそのトップ・エンド・ブラケット４８、４８に締め付けられ、コンテナー・コーナー・トップにおいてその側壁１２、１２および端壁１３、１３上にそのコーナー・ブラケット１５、１５、１５、１５の上側を突き出してその側壁１２、１２および端壁１３、１３を一体的に結合する。その４個のコーナー・ブラケット１５、１５、１５、１５は、別のコンテナー１０がそのコンテナー１０上に積み重ねられると、そのコンテナー１０にその別のコンテナー１０をずれ止めする。 
そのように、そのコーナー・ブラケット１５、１５、１５、１５は、そのコンテナー・コーナー・トップにおいてその側壁１２、１２および端壁１３、１３を一体的に結合するに加えて段積み時、その下段のコンテナー１０に上段のコンテナー１０をずれ止めするところのストッパーとして機能する。勿論、そのコーナー・ブラケット１５、１５、１５、１５は、そのコンテナー１０が段積みされない場合、図６に示されたように、上下方向に逆にされてそのボルト４１、４１、４１、４１、４１、４１、４１、４１でその隣り合う側壁１２、１２および端壁１３、１３のそのトップ・サイド・ブラケット３７、３７および３７、３７、およびそのトップ・エンド・ブラケット４８、４８および４８、４８に締め付けられる。すなわち、そのコーナー・ブラケット１５、１５、１５、１５は、そのコンテナー・コーナー・トップにおいてその側壁１２、１２および端壁１３、１３の上面にそのコーナー・ブラケット１５、１５、１５、１５を合わせてその隣り合う側壁１２、１２および端壁１３、１３を結合して一体化する。 
【００２３】
引き続いて、その３本の屋根はり５２、５２、５２が、前後方向に適宜に間隔を置いてその両端のその箱形フック５３、５３でその左右の側壁１２、１２のルーフ・レール２８、２８に引っ掛けられてそのルーフ・レール２８、２８間に渡され、そして、そのルーフ・レール２８、２８に支持され、そして、その屋根板５４が、その３本の屋根はり５２、５２、５２、その左右の側壁１２、１２のそのルーフ・レール２８、２８、およびその前後の端壁１３、１３のそのトップ・エンド・レール４３、４３上に張られてのせられ、そして、固定的に取り付けられる。 
そのようにして、その屋根１４がその一体化された側壁１２、１２および端壁１３、１３上に組み立てられ、そこで、そのコンテナー１０が梱包組立てされる。 
【００２４】
そのコンテナー１０では、その左右の側壁１２、１２がその床構造１１上に立ち上げられてからその前後の端壁１３、１３がその床構造１１上に立ち上げられたが、その左右の側壁１２、１２および前後の端壁１３、１３は、荷積み場所に応じて順番を問わずにその床構造１１上に独立に立ち上げ可能になる。 
また、そのコンテナー１０は、密閉構造に組み立てられたが、必要に応じてその側板３２、３２および端板４７、４７を省いてすかし構造に組み立てられる。 
【００２５】
したがって、このコンテナー１０では、その大きな製品、部品がその床構造１１上にのせられてからその左右の側壁１２、１２および前後の端壁１３、１３が順番を問わずにその床構造１１上に独立に立ち上げられて梱包組立てが可能になり、場所に制限されずに狭い場所においてもその大きな製品、部品の積み下しや梱包組立てが容易になり、すなわち、荷積み下し場所に制約されずに大きな貨物の積み下し作業や梱包組立て作業が容易になってそれら作業が時間短縮され、そして、段積みする場合、その上段のコンテナーがそのコーナー・ブラケットでその下段のコンテナーにずれ止めされて船積輸送や鉄道輸送などに適し、また、荷下ろし場所に制約されずに梱包解き、すなわち、分解も容易になって輸送先から容易に回収運搬可能になり、経済的になり、そして、必要に応じて密閉構造にもすかし構造にも容易に組み立て可能になる。 
【００２６】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００２７】
上述から理解されるように、この発明の輸送に用いるコンテナーは、左右の側壁が、それぞれ一対のサイド・ウォール・ブラケットで床構造の左右のボトム・サイド・レール上に独立に立ち上げられ、前後の端壁が、その床構造の前後のボトム・エンド・レールに前後の断面溝形ボトム・エンド・レール・メンバーを上からはめ合わせてその床構造上に独立に立ち上げられ、およびその左右の側壁および前後の端壁が、コンテナー・コーナー・トップにおいてコーナー・ブラケットで一体的に結合されるので、この発明の輸送に用いるコンテナーでは、その大きな製品、部品がその床構造上にのせられてからその左右の側壁および前後の端壁が順番を問わずにその床構造上に独立に立ち上げられて梱包組立てが可能になり、場所に制限されずに狭い場所においてもその大きな製品、部品の積み下しや梱包組立てが容易になり、すなわち、荷積み下し場所に制約されずに大きな貨物の積み下し作業や梱包組立て作業が容易になってそれら作業が時間短縮され、そして、段積みする場合、その上段のコンテナーがそのコーナー・ブラケットでその下段のコンテナーにずれ止めされて船積輸送や鉄道輸送などに適し、また、荷下ろし場所に制約されずに梱包解き、すなわち、分解も容易になって輸送先から容易に回収運搬可能になり、経済的になり、そして、必要に応じて密閉構造にもすかし構造にも容易に組み立て可能になり、その結果、大きな貨物の輸送にとって非常に有用で実用的であり、そして、船積輸送や鉄道輸送などに適する。 
【図面の簡単な説明】
【００２８】
【図１】船積み輸送に活用されるところのこの発明の輸送に用いるコンテナーの具体例を示した分解斜視図である。
【図２】そのコンテナーを部分的に破断して示した側面図である。
【図３】そのコンテナーを部分的に破断して示した正面図である。
【図４】そのコンテナーを部分的に破断して示した横断面図である。
【図５】段積みの場合、ずれ止めにコーナー・ブラケットを兼用するそのコンテナーのコーナー部分を部分的に破断して示した斜視図である。
【図６】段積みされない場合、そのコーナー・ブラケットを用いるそのコンテナーのコーナー部分を部分的に破断して示した斜視図である。
【符号の説明】
【００２９】
１１    床構造 
１２    側壁 
１３    端壁 
１４    屋根 
１５    コーナー・ブラケット 
２０    断面長方形ボトム・サイド・レール 
２１    横はり 
２２    縦はり 
２３    床板 
２４    断面長方形ボトム・エンド・レール 
２５    サイド・ウォール・ブラケット 
２７    側壁枠 
２８    ルーフ・レール 
２９    ボトム・サイド・レール・メンバー 
３０    コーナー・ポスト 
３１    スタッド 
３２    側板 
３３    ボトム・サイド・ブラケット 
３４    裏面 
３５    ボルト穴 
３６    ナット 
３７    トップ・サイド・ブラケット 
３８    裏面 
３９    ボルト穴 
４０    ナット 
４１    ボルト 
４２    端壁枠 
４３    トップ・エンド・レール 
４４    断面溝形ボトム・エンド・レール・メンバー 
４５    コーナー・ポスト・メンバー 
４６    スタッド 
４７    端板 
４８    トップ・エンド・ブラケット 
４９    裏面 
５０    ボルト穴 
５１    ナット 
５２    屋根はり 
５３    箱形フック 
５４    屋根板 
５５    ボルト穴 
【図１】
2006069631.tif 000003
【図２】
2006069631.tif 000004
【図３】
2006069631.tif 000005
【図４】
2006069631.tif 000006
【図５】
2006069631.tif 000007
【図６】
2006069631.tif 000008